(57)【特許請求の範囲】
【請求項１】
被取付面に取り付けられる器具本体と、
前記被取付面と対向する被照射面に向う方向を下方とする場合に、前記器具本体の下側に配置されて、下方に光を照射する第１の光源と、
前記器具本体の被取付面側である上側において、前記器具本体の外周に沿って間隔をおいて設けられた第２の光源と、
前記器具本体の外周に設けられた枠体と、
前記枠体に設けられた、センサおよびリモコン受光部を有する検知部と、
前記検知部を覆うとともに前記枠体の上面に設けられた検知部カバーと、
を有し、
前記検知部カバーの表面が、前記検知部が設置されている前記枠体の上面と同様の反射率の色である照明器具。
【請求項２】
請求項１に記載の照明器具において、
前記枠体には補助光源が設けられる照明器具。
【発明の詳細な説明】
【技術分野】
【０００１】
本発明は、センサ部やリモコン受光部等を収容する検知部を有する照明器具に関するものである。
【背景技術】
【０００２】
従来より、センサ部やリモコン受光部等を収容する検知部を有する照明器具が知られている（例えば、特許文献１参照）。
図７に示すように、特許文献１に記載の照明器具１００は、光源１０１、光源１０１から放射される光を反射する反射板１０２、光源１０１に電力を供給して点灯させる駆動部１０３、制御信号を駆動部１０３へ出力する制御部１０４等を有する。
また、リモコンのコントローラ１０５からの信号を受信する検知部であるアンテナ１０６を有しており、受信した信号を制御部１０４に送って、光源１０１を制御する。
【先行技術文献】
【特許文献】
【０００３】
【特許文献１】特開２００６−８０００７号公報（第１図）
【発明の概要】
【発明が解決しようとする課題】
【０００４】
ところで、センサ部やリモコン受光部等を有する検知部には、埃等の侵入を防止するためにカバーを設けるのが一般的である。
しかしながら、検知部のカバーの表面が、検知部を設置する場所と異なる反射率の場合には、カバーに光が当たると、反射率の違いから目立つので、外観上好ましくないという問題があった。
【０００５】
本発明は、従来の問題を解決するためになされたもので、外観上目立たない検知部を有する照明器具を提供することを目的とする。
【課題を解決するための手段】
【０００６】
本発明の照明器具は、被取付面に取り付けられる器具本体と、前記被取付面と対向する被照射面に向う方向を下方とする場合に、前記器具本体の下側に配置されて、下方に光を照射する第１の光源と、前記器具本体の被取付面側である上側において、前記器具本体の外周に沿って間隔をおいて設けられた第２の光源と、前記器具本体の外周に設けられた枠体と、前記枠体に設けられた、センサおよびリモコン受光部を有する検知部と、前記検知部を覆うとともに前記枠体の上面に設けられた検知部カバーと、を有し、前記検知部カバーの表面が、前記検知部が設置されている前記枠体の上面と同様の反射率の色であるものである。
【０００７】
また、本発明の照明器具は、前記枠体には補助光源が設けられるものである。
【発明の効果】
【０００８】
本発明は、検知部カバーの内側面を暗色にするとともに、検知部カバーの表面をこの検知部が設置される面と同系色にしたので、誤動作を防止するとともに外観上目立たなくすることができるという効果を有する照明器具を提供できる。
【図面の簡単な説明】
【０００９】
【図１】（Ａ）は本発明に係る実施形態の照明器具の断面図であり、（Ｂ）は下方から見た底面図
【図２】本発明に係る実施形態の照明器具の分解斜視図
【図３】本発明に係る実施形態の照明器具の上枠およびアッパーユニット用カバーを外した状態を上方から見た斜視図
【図４】図２中ＩＶ部分の拡大図
【図５】図２中Ｖ部分の拡大図
【図６】（Ａ）はアッパーユニット用カバーを取り外した状態の照明器具の側面図であり、（Ｂ）は上方から見た斜視図
【図７】従来の検知部付き照明器具の断面図
【発明を実施するための形態】
【００１０】
以下、本発明に係る実施形態の照明器具について、図面を用いて説明する。
なお、以下の説明においては、照明器具を被取付面に取り付けて下方を照明する場合について説明する。従って、特に示す場合を除き、上（上方、上側等）は天井面側を意味し、下（下方、下側等）は床面側を意味する。
【００１１】
図１（Ａ）および（Ｂ）に示すように、本発明に係る実施形態の照明器具１０は、被取付部である天井面１１等に取り付けられて主に下方を照明するのに適する。
図２にも示すように、照明器具１０は、天井面１１に取り付けられている引っ掛けシーリング１２に取り付けるための取付部材２１を中央に有する例えば円板状の器具本体２０を有する。
なお、器具本体２０の外周には、円環状の枠体２２が設けられており、枠体２２には補助光源７０が設けられている。
【００１２】
器具本体２０の上側（すなわち、天井面１１側）には、アッパーユニット（光源）３０、上枠３２およびアッパーユニット用カバー３１が設けられている（図３参照）。
また、器具本体２０の下側（すなわち、照明方向側）には、主光源であるロアーユニット４０およびロアーユニット４０用の光学部材であるレンズ４３が設けられており、中央部には常夜灯２３が設けられている。
【００１３】
図２に示すように、ロアーユニット４０は、器具本体２０の円形を複数個（ここでは、例えば４個）に分割した部分円弧状の基板４１を有しており、各基板４１には、複数のＬＥＤ４２が実装されている。
各ロアーユニット４０は、下方に向けて光を照射する。
【００１４】
図２に示すように、ロアーユニット４０の前方には、ロアーユニット４０が発した光を受けて光を拡散する透光性のパネル５０が設けられている。
パネル５０は、下方に湾曲した曲面形状をしている。
【００１５】
図１（Ａ）、（Ｂ）および図２に示すように、枠体２２は円環状をしており、内部にはパネル５０が嵌まる空間２２１を有する。
枠体２２の表面２２２は、中心に向かって下方へ傾斜しており、所定間隔（ここでは、中心角１２０度）で、補助光源７０用の開口部２２３が設けられている。開口部２２３は、枠体２２の外形に対応して、湾曲して設けられている。
また、枠体２２の表面２２２には、後述する検知部２４用の開口として、センサ用開口２２４、動作表示ランプ用開口２２５および状態表示ランプ用開口２２６が設けられている。
【００１６】
図４に示すように、補助光源７０は、ＬＥＤ７１を実装した基板７２と、基板７２を取り付ける取付板７３と、ＬＥＤ７１の前方を覆う補助光源用レンズ７４を有する。
基板７２、取付板７３および補助光源用レンズ７４は、枠体２２の外形（円形）に合わせて湾曲している。
また、補助光源用レンズ７４の表面７４１は、枠体２２の表面２２２に沿った形状として、枠体２２の表面２２２から突出しないようにする。
【００１７】
図２に示すように、器具本体２０の上面には、複数個（ここでは、例えば４個）のアッパーユニット３０が、所定間隔で設けられている（図３参照）。
アッパーユニット３０は、透光性を有するアッパーユニット用カバー３１により上から覆われている。
【００１８】
図５に示すように、アッパーユニット３０は、ＬＥＤ３３を実装する基板３４と、基板３４を器具本体２０の上面に取り付けるための取付具３５と、ＬＥＤ３３の前面を覆うレンズ３６を有する。
取付具３５は全体Ｌ字形状をしており、基板３４およびレンズ３６を、器具本体２０の上面に直交するように取り付ける。
従って、ＬＥＤ３３からの光は、アッパーユニット用カバー３１を通して、器具本体２０の上面と平行に外側へ向けて出射される（図３参照）。
【００１９】
図６（Ａ）、（Ｂ）に示すように、枠体２２においてセンサ用開口２２４、動作表示ランプ用開口２２５および状態表示ランプ用開口２２６が設けられている上面２２７に、検知部２４が設けられている。
検知部２４は、センサとしてのセンサ２４１、センサ２４１を取り付けるセンサ基板（回路基板）２４５、センサ基板２４５を保持するセンサ基板保持部２４６、センサ基板保持部２４６を器具本体２０に取り付けるセンサケース２４４を有する。
【００２０】
さらに、これらを覆う検知部カバー２４７を有する。
検知部カバー２４７は階段状に形成されており、下端は枠体２２の上面２２７に当接し、上端は器具本体２０の上面２０１に取り付けられる。
また、検知部カバー２４７には、側方からの光等の侵入を防止する側壁２２８が設けられている。
【００２１】
検知部カバー２４７の表面は、検知部２４の取付位置である枠体２２の上面２２７と同様の反射率を有する色となっており、アッパーユニット３０や補助光源７０や常夜灯２３からの光が当たったときに、枠体２２の上面２２７と同様に反射するようにしている。
これにより、検知部カバー２４７は目立たない。
【００２２】
なお、図２に示すように、センサケース２４４には、センサ２４１のほか、動作表示ランプ２４２および状態表示ランプ２４３が取り付けられている。
また、ここでは、センサ２４１としては、ＩＲセンサ、明るさセンサ、人感センサ、リモコン受光部等を含むものである。
【００２３】
以上、説明した本発明に係る実施形態の照明器具１０は、検知部２４を有する。検知部２４は、器具本体２０に取り付けられたロアーユニット４０、アッパーユニット３０等を調光制御するためのセンサ２４１およびリモコンコントローラからの信号をうけるリモコン受光部（図示省略）を有しており、検知部カバー２４７に収容されている。
そして、検知部カバー２４７の表面を、この検知部２４が設置されている枠体２２の上面２２７と同様の反射率の色にすることにより、検知部カバー２４７に光が当たった際に、設置面と同様に光を反射するので、外観上目立たなくすることができる。
【００２４】
また、検知部２４のセンサ基板２４５が、器具本体２０の外側に設けられて補助光源７０が設けられる枠体２２に設けられているので、検知部カバー２４７の表面を枠体２２の上面２２７と同様の反射率にした。
これにより、アッパーユニット３０や補助光源７０からの光が照射されても、設置面である枠体２２の上面２２７と同様に光を反射するので、外観上目立たなくすることができる。
【００２５】
なお、本発明の照明器具は、前述した実施形態に限定されるものでなく、適宜な変形、改良等が可能である。
【符号の説明】
【００２６】
１０  照明器具
１１  天井面（被取付部）
２０  器具本体
２２  枠体
２２７  上面（面）
２４  検知部
２４１  センサ
２４５  センサ基板（回路基板）
２４７  検知部カバー
３０  アッパーユニット（光源）
７０  補助光源（光源）
【図１】
0005870316.tif 000002
【図２】
0005870316.tif 000003
【図３】
0005870316.tif 000004
【図４】
0005870316.tif 000005
【図５】
0005870316.tif 000006
【図６】
0005870316.tif 000007
【図７】
0005870316.tif 000008